(57)【要約】【課題】給湯停止後の一定時間内に給湯を再開した際に出湯温度が著しく低下しない給湯システムを提供する。【解決手段】給湯器１０は、給湯用の第１熱交換器１５と第１バーナ１４ａを収納する第１燃焼室１３ａと、暖房回路用の第２熱交換器１６と第２バーナ１４ｂを収納する第２燃焼室１３ｂと、第１、第２バーナ１４ａ、１４ｂの少なくとも一方が燃焼中に作動して第１、第２燃焼室１３ａ、１３ｂの双方に送風する燃焼ファン１１とを備え、放熱装置７０は、給湯器１０から給湯動作の動作状況を示す情報を受信し、給湯使用の終了後の所定期間は暖房動作の動作要求の送出を停止する。これにより、給湯停止後は第１バーナ１４ａ、第２バーナ１４ｂの燃焼を共に停止して燃焼ファン１１が停止するので、燃焼ファン１１からの送風による第１熱交換器１５の温度低下が抑制される。【選択図】図１
2018091542.tif 000002
【特許請求の範囲】
【請求項１】
給湯器と、前記給湯器を熱源とする放熱装置を備えた給湯システムであって、
前記給湯器は、
第１燃焼室と、
前記第１燃焼室に収められ、給湯用の配管が通る第１熱交換器と、
前記第１熱交換器を加熱する第１バーナと、
第２燃焼室と、
前記第２燃焼室に収められ、前記放熱装置の放熱器が介挿された所定の循環経路の配管が通る第２熱交換器と、
前記循環経路に設けられた循環ポンプと、
前記第２熱交換器を加熱する第２バーナと、
前記第１バーナと前記第２バーナの少なくとも一方が燃焼中に作動して前記第１燃焼室と前記第２燃焼室の双方に燃焼用の空気を送風する燃焼ファンと、
前記給湯用の配管に通水があるときに前記第１バーナを燃焼させて給湯設定温度の湯を供給する給湯動作、および、前記放熱装置からの動作要求に応じて行う、前記循環ポンプを作動させて前記循環経路を循環する流体を前記第２バーナで加熱する循環流体加熱動作を制御する制御部と、
前記放熱装置と通信する通信部と、
を備え、
前記制御部は、前記給湯動作の動作状態を示す給湯動作情報を前記通信部を用いて前記放熱装置に送信し、
前記放熱装置は、前記給湯器から受信した前記給湯動作情報に基づいて前記給湯器が前記給湯動作を停止した後の所定期間か否かを判別し、前記所定期間中は、前記動作要求の送信を禁止する、もしくは、前記動作要求で要求する熱量を所定量以下に制限する
ことを特徴とする給湯システム。
【請求項２】
前記所定期間は、前記給湯動作の停止後であって前記給湯動作の再開前かつ前記給湯動作の停止から所定時間が経過する前の期間である
ことを特徴とする請求項１に記載の給湯システム。
【請求項３】
前記放熱装置は、自装置の稼動指示が前記所定期間の終了前から前記所定期間の終了後に継続しているときは、前記所定期間の終了後、補填指示を含む前記動作要求を行い、
前記給湯器は、前記補填指示を含む動作要求を受けた場合は、前記循環ポンプの動作速度を通常より高めて前記循環流体加熱動作を行う
ことを特徴とする請求項１または２に記載の給湯システム。
【請求項４】
前記放熱装置は、前記給湯動作情報に基づいて、前記給湯器が停止した給湯動作がシャワーを用途とするものか否かを判別し、シャワーを用途する給湯動作であった場合にのみ、該給湯動作を停止した後の所定期間中に前記動作要求の送信を禁止する、もしくは、前記動作要求で要求する熱量を所定量以下に制限する
ことを特徴とする請求項１乃至３のいずれか１つに記載の給湯システム。
【請求項５】
前記制御部は、前記所定期間は、前記給湯動作の停止に基づくポストファンを禁止する
ことを特徴とする請求項１乃至４のいずれか１つに記載の給湯システム。
【請求項６】
前記制御部は、前記給湯動作の停止後の所定期間内に前記循環流体加熱動作が予定されている場合は、前記給湯動作の停止に基づくポストファンを行わない
ことを特徴とする請求項１乃至５のいずれか１つに記載の給湯システム。
【発明の詳細な説明】
【技術分野】
【０００１】
本発明は、給湯器と、該給湯器を熱源機とする放熱装置とを含む給湯システムに関する。
【背景技術】
【０００２】
給湯用の第１熱交換器および第１バーナが設けられた第１燃焼室と、暖房回路などの循環経路を循環する流体を加熱するための第２熱交換器および第２バーナが設けられた第２燃焼室を備えた給湯器では、一般に、１つの燃焼ファンで第１燃焼室と第２燃焼室の双方に同時に燃焼用の空気を送り込む。あるいは、第１燃焼室と第２燃焼室のそれぞれに燃焼ファンを設ける場合でも、第１燃焼室からの燃焼ガスの排気経路と第２燃焼室からの燃焼ガスの排気経路が合流して１つの排気口から排気が排出される場合には、第１バーナと第２バーナの一方のみを燃焼させる場合でも、他方への排気の回り込みを防止するために各燃焼ファンを同時に作動させる制御が行われる（特許文献１参照）。
【先行技術文献】
【特許文献】
【０００３】
【特許文献１】特開２００５−３３７５３１号公報
【発明の概要】
【発明が解決しようとする課題】
【０００４】
シャワー使用時の快適性を確保する等の観点から、給湯動作を停止してから一定時間（たとえば、５分）の経過前に給湯動作を再開した場合における出湯温度の変動が、たとえば、±３℃以内に収まるようにする機能（Ｑ機能と呼ばれる）が望まれる。
【０００５】
しかしながら、給湯動作の停止後に、風呂の追い焚きや暖房のための燃焼が第２燃焼室で行われると、この燃焼のために燃焼ファンが作動するので、給湯側の第１燃焼室にも燃焼ファンからの空気が送り込まれ、給湯側の熱交換器が冷却されてしまう。そのため、給湯停止後の再給湯の際の出湯温度が著しく低下し、快適性や省エネルギー性が損なわれる。
【０００６】
本発明は、上記の問題を解決しようとするものであり、給湯停止後の一定時間内に給湯を再開した際の出湯温度が著しく低下することのない給湯システムを提供することを目的としている。
【課題を解決するための手段】
【０００７】
かかる目的を達成するための本発明の要旨とするところは、次の各項の発明に存する。
【０００８】
［１］給湯器と、前記給湯器を熱源とする放熱装置を備えた給湯システムであって、
前記給湯器は、
第１燃焼室と、
前記第１燃焼室に収められ、給湯用の配管が通る第１熱交換器と、
前記第１熱交換器を加熱する第１バーナと、
第２燃焼室と、
前記第２燃焼室に収められ、前記放熱装置の放熱器が介挿された所定の循環経路の配管が通る第２熱交換器と、
前記循環経路に設けられた循環ポンプと、
前記第２熱交換器を加熱する第２バーナと、
前記第１バーナと前記第２バーナの少なくとも一方が燃焼中に作動して前記第１燃焼室と前記第２燃焼室の双方に燃焼用の空気を送風する燃焼ファンと、
前記給湯用の配管に通水があるときに前記第１バーナを燃焼させて給湯設定温度の湯を供給する給湯動作、および、前記放熱装置からの動作要求に応じて行う、前記循環ポンプを作動させて前記循環経路を循環する流体を前記第２バーナで加熱する循環流体加熱動作を制御する制御部と、
前記放熱装置と通信する通信部と、
を備え、
前記制御部は、前記給湯動作の動作状態を示す給湯動作情報を前記通信部を用いて前記放熱装置に送信し、
前記放熱装置は、前記給湯器から受信した前記給湯動作情報に基づいて前記給湯器が前記給湯動作を停止した後の所定期間か否かを判別し、前記所定期間中は、前記動作要求を禁止する、もしくは、前記動作要求で要求する熱量を所定量以下に制限する
ことを特徴とする給湯システム。
【０００９】
上記発明では、給湯動作の停止後の所定期間は、放熱装置から給湯器への動作要求の送信を禁止等する。これにより、給湯動作の停止後、給湯動作が再開されなければ、燃焼ファンが停止した状態（あるいは小風量の状態）に維持され、燃焼ファンからの送風による給湯側熱交換器（第１熱交換器）の冷却が抑制されて、給湯再開時の出湯温度の著しい低下が防止される。
【００１０】
［２］前記所定期間は、前記給湯動作の停止後であって前記給湯動作の再開前かつ前記給湯動作の停止から所定時間が経過する前の期間である
ことを特徴とする［１］に記載の給湯システム。
【００１１】
［３］前記放熱装置は、自装置の稼動指示が前記所定期間の終了前から前記所定期間の終了後に継続しているときは、前記所定期間の終了後、補填指示を含む前記動作要求を行い、
前記給湯器は、前記補填指示を含む動作要求を受けた場合は、前記循環ポンプの動作速度を通常より高めて前記循環流体加熱動作を行う
ことを特徴とする［１］または［２］に記載の給湯システム。
【００１２】
上記発明では、放熱装置を稼動させているにもかかわらず、給湯動作停止後の所定期間において動作要求の送信を禁止等した場合は、該禁止等によって生じた加熱量の不足を補うために、禁止等を解除した後の循環流体加熱動作において循環ポンプの動作速度を通常より高める。
【００１３】
［４］前記放熱装置は、前記給湯動作情報に基づいて、前記給湯器が停止した給湯動作がシャワーを用途とするものか否かを判別し、シャワーを用途する給湯動作であった場合にのみ、該給湯動作を停止した後の所定期間中に前記動作要求の送信を禁止する、もしくは、前記動作要求で要求する熱量を所定量以下に制限する
ことを特徴とする［１］乃至［３］のいずれか１つに記載の給湯システム。
【００１４】
上記発明では、給湯停止直前の給湯使用がシャワーであると推定される場合にのみ、動作要求の送信を禁止あるいは要求する熱量を制限する制御を行う。
【００１５】
［５］前記制御部は、前記所定期間は、前記給湯動作の停止に基づくポストファンを禁止する
ことを特徴とする［１］乃至［４］のいずれか１つに記載の給湯システム。
【００１６】
［６］前記制御部は、前記給湯動作の停止後の所定期間内に前記循環流体加熱動作が予定されている場合は、前記給湯動作の停止に基づくポストファンを行わない
ことを特徴とする［１］乃至［５］のいずれか１つに記載の給湯システム。
【００１７】
上記発明では、給湯動作の停止後の所定期間内に循環流体加熱動作の実行予定がある場合には、循環流体加熱動作に伴う燃焼ファンの動作で、給湯ポストファンを代用する。
【発明の効果】
【００１８】
本発明に係る給湯システムによれば、給湯停止後の一定時間内に給湯を再開した際に、当初の出湯温度が著しく低下することがなく、快適性や省エネルギー性が向上する。
【図面の簡単な説明】
【００１９】
【図１】本発明の実施の形態に係る給湯システムの概略の構成を示す図である。
【図２】燃焼ファンの動作の制御を示す流れ図である。
【図３】給湯器が行う給湯動作の動作状態を示す動作状態情報を送信する処理を示す流れ図である。
【図４】給湯器が放熱装置からの動作要求に応じて循環系動作を制御する処理を示す流れ図である。
【図５】放熱装置が行う、動作要求の禁止・制限を設定解除する処理を示す流れ図である。
【図６】放熱装置が、給湯器に動作要求を送信する処理を示す流れ図である。
【図７】給湯使用終了時のポストファンの制御を示す流れ図である。
【発明を実施するための形態】
【００２０】
以下、図面に基づき本発明の実施の形態を説明する。
【００２１】
図１は、本発明の実施の形態に係る給湯システム１の概略構成を示している。給湯システム１は、給湯器１０と、該給湯器１０を熱源とする放熱装置７０および第２放熱装置８０とを備えて構成される。給湯器１０は、給水を加熱して浴室内のシャワーや台所の水栓等へお湯を供給（出湯）する給湯機能、浴槽２へ湯を落とし込む注湯機能、浴槽２内の湯水を追い焚きして昇温する追い焚き機能などを備えている。また、浴槽２に設定温度の湯を設定水位になるように自動的に湯張りし、湯張り完了後は設定水位・設定温度が所定時間（たとえば、４時間）に渡って維持されるように追い焚き等を行う風呂の自動運転機能を備えている。
【００２２】
さらに給湯器１０は、放熱装置７０や第２放熱装置８０に、加熱した熱媒体流体（ここでは、温水とする）を循環させる熱源機能を備えている。たとえば、放熱装置７０は、高温暖房端末であり、温風を送出して浴室を温める浴室暖房器である。第２放熱装置８０は、低温暖房端末であり、たとえば、床材の下に設置された床暖房用の温水マットなどである。
【００２３】
給湯器１０は、燃焼ファン１１、および該燃焼ファン１１が送風する空気が下方から送り込まれ、上部に排気口１２を備えた縦長筒状の燃焼室１３を備えている。燃焼室１３は、仕切り板で縦に仕切ることにより内部が第１燃焼室１３ａと第２燃焼室１３ｂに分かれている。燃焼ファン１１は、第１燃焼室１３ａと第２燃焼室１３ｂで兼用されており、第１燃焼室１３ａと第２燃焼室１３ｂの双方に同時に送風して燃焼用の空気を供給する。
【００２４】
第１燃焼室１３ａの下部には第１バーナ１４ａが設けられ、その上方には給湯用の配管が通る第１熱交換器１５が配置されている。第１熱交換器１５は、潜熱熱交換器１５ａと顕熱熱交換器１５ｂで構成される。第２燃焼室１３ｂの下部には第２バーナ１４ｂが設けられ、その上方には所定の循環経路を構成する配管が通る第２熱交換器１６が配置されている。第２熱交換器１６は、第２潜熱熱交換器１６ａと、第２顕熱熱交換器１６ｂで構成される。なお、燃焼ファンは、第１燃焼室１３ａと第２燃焼室１３ｂに個別に設けられてもよいが、この場合、第１バーナ１４ａと第２バーナ１４ｂの少なくとも一方が燃焼しているときは、両方の燃焼ファンが作動するように制御される。
【００２５】
ここでは、上記の循環経路は、基礎経路と、基礎経路から分岐して放熱装置７０の放熱器７１を経由する高温暖房経路と、基礎経路から分岐して第２放熱装置８０の放熱器８１を経由する低温暖房経路と、浴槽２の湯水を追い焚きするための追い焚き回路で構成される。
【００２６】
基礎経路は、第２顕熱熱交換器１６ｂの出側から、管路２１、流量制御弁２２、水―水熱交換器２３の一次側配管、管路２４、管路２５を経由して第２潜熱熱交換器１６ａに至り、第2潜熱熱交換器１６ａの出側からシスターン１７、循環ポンプ１８を経た後、管路２６を通じて第２顕熱熱交換器１６ｂの入側に戻る経路で構成される。さらに基礎経路は、第２顕熱熱交換器１６ｂの出側に接続された管路２１と第１顕熱熱交換器１５ｂの出側とシスターン１７との間の管路２６を接続する連結管３８を有する。連結管３８の途中には、流量調整弁３９が設けてあり、この流量調整弁３９をバイパスするバイパス管３８ｂが設けてある。
【００２７】
シスターン１７は、基礎経路を循環する水が所定量貯水される大気開放の容器である。シスターン１７には、シスターン１７内の水位を検出する水位センサが設けてあり、水位が所定値以下になると、後述する注水管６１を通じて給水が補給されるようになっている。
【００２８】
高温暖房経路は、管路２１から分岐して放熱装置７０が有する熱動弁７２を介して放熱器７１の入側に至る高温往き管３１と、放熱器７１の出側から合流部２８のいずれか１つの入側接続口に至る高温戻り管３２とから構成される。合流部２８の出側に接続された管路２９は、管路２５と管路２４の合流箇所に接続されて合流する。
【００２９】
低温暖房経路は、循環ポンプ１８の下流で管路２６から分岐し、熱動弁３３を経由してて第２放熱装置８０の放熱器８１の入側に至る低温往き管３４と、放熱器８１の出側から合流部２８のいずれか１つの入側接続口に至る高温戻り管３５とから構成される。
【００３０】
追い焚き回路は、水―水熱交換器２３の二次側の水管と、該二次側の水管の出側から浴槽２の循環口（出側）に至る風呂往き管３６と、水―水熱交換器２３の二次側の水管の入側から風呂循環ポンプ１９を経由して浴槽２の循環口(入側)に至る風呂戻り管３７とから構成される。
【００３１】
第２顕熱熱交換器１６ｂの出側に接続された管路２１には、第２顕熱熱交換器１６ｂから出る湯の温度を検出する熱交温度センサ４１が設けてある。第２潜熱熱交換器１６ａの入側に接続された管路２５には、第２潜熱熱交換器１６ａに戻る湯の温度を検出する戻り温度センサ４２が設けてある。また風呂戻り管３７には、風呂戻り温度センサ４０が設けてある。循環ポンプ１８の直ぐ下流の管路２６には、低温暖房経路に送り出される湯温を検出する低温往き温度センサ４９が設けてある。
【００３２】
給水元から給水の供給を受ける給水管５１は、第１潜熱熱交換器１５ａの入側に接続され、第１潜熱熱交換器１５ａの出側は第１顕熱熱交換器１５ｂの入側に接続され、第１顕熱熱交換器１５ｂの出側には、出湯栓に通じる給湯管５２が接続されている。給水管５１の途中には、給水管５１を流れる給水の水量を検出する水量センサ５３が設けてあり、その下流隣には給水元からの給水量を調整(制限)するための水量サーボ５４が設けてある。
【００３３】
水量サーボ５４の下流の所定箇所で給水管５１から分岐したバイパス管５５は、給湯管５２の所定箇所に合流し接続されている。バイパス管５５の途中には、バイパス管５５を通じて給水管５１から給湯管５２側に流す給水量を調整するためのバイパス混合弁５６が設けてある。
【００３４】
水量センサ５３より上流側の給水管５１には、給水の温度を検出する給水温度センサ４３が設けてある。第１顕熱熱交換器１５ｂの出側近傍の給湯管５２には、第１顕熱熱交換器１５ｂ内の湯の温度を検出するための給湯熱交温度センサ４４が設けてある。
【００３５】
さらに、風呂戻り温度センサ４０が設けられた箇所の近傍の風呂戻り配管３７と、バイパス管５５の合流箇所より下流の所定箇所の給湯管５２は、連結管５７で接続されており、連結管５７の途中には、該連結管５７を開通状態と遮断状態とに切り替える注湯電磁弁５８と、風呂戻り配管３７側から給湯管５２への逆流を防止するための逆止弁５９が介挿されている。
【００３６】
また、給水管５１の途中で分岐した注水管６１がシスターン１７に通じており、該注水管６１の途中には、注水管６１を開通状態と遮断状態とに切り替える電磁弁６２が介挿されている。電磁弁６２を開くと、シスターン１７に水が補充される。
【００３７】
燃焼ガスの供給経路は次の様になっている。燃焼ガスの供給元に接続されるガス供給管６４の途中には、供給元からの燃焼ガスを遮断するか否かを切り替える元ガス電磁弁６５が設けられ、その下流には、供給する燃焼ガスの量を任意に調整するためのガス比例弁６６が設けてある。ガス供給管６４は、ガス比例弁６６の下流で２つに分岐し、一方は、ガス電磁弁６７を介して第１バーナ１４ａに接続され、他方は、ガス電磁弁６８を介して第２バーナ１４ｂに接続されている。
【００３８】
このほか、給湯器１０は、外気温を検出する外気温度センサ４５を有する。さらに、給湯器１０は、当該給湯器１０の動作を制御する制御部４０を備える。制御部４０はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで給湯器１０としての動作が実現される。
【００３９】
制御部４０は通信部４６を備えている。通信部４６は、使用者から各種の設定や運転の指示を受ける機能、設定内容や運転状況を表示する機能等を備えたリモートコントローラ(リモコンと略称する)、および、放熱装置７０や第２放熱装置８０と通信する機能を果たす。ここでは、リモートコントローラとして、風呂に設置された風呂リモコン４７と、台所等に設置されたメインリモコン４８がある。
【００４０】
放熱装置７０は、放熱器７１と、放熱器７１で受熱した温風が吹き出し口から出るように放熱器７１に向けて送風する送風ファン７３と、放熱装置７０の動作を制御する制御部７４を備えている。制御部７４は、給湯器１０と通信するための通信部７５を備えている。また、制御部７５には、使用者から、暖房運転のオンオフ、暖房温度の設定等の操作を受ける操作パネル７６が接続されている。放熱装置７０は、周囲の温度を検出する室温センサ７７を備えている。
【００４１】
第２放熱装置８０はリモコンを有するが、その記載は省略する。第２放熱装置８０のリモコンも制御部４０の通信部４６に接続されている。
【００４２】
次に、給湯システム１における注湯動作、追い焚き動作、暖房動作の概要を説明する。
【００４３】
＜給湯動作＞
出湯栓が開かれて給水管５１内の通水を水量センサ５３が検出すると、制御部４０は、燃焼ファン１１を作動させ、第１バーナ１４ａを点火し、第１バーナ１４ａで燃焼ガスを燃焼させる。給水元からの給水は、第１熱交換器１５（第１潜熱熱交換器１５ａおよび第１顕熱熱交換器１５ｂ）を通る際に第１バーナ１４ａからの排気の熱を受けて加熱され、バイパス混合弁５６が開いているときはさらにバイパス管５５からの給水と混合された後、出湯栓へ出湯される。制御部４０は、出湯温度が給湯設定温度になるように第１熱交換器１５の燃焼量やバイパス混合弁５６の開度等を制御する。水量センサ５３が通水を検出しなくなると、第１熱交換器１５への燃焼ガスの供給を遮断して第１熱交換器１５の燃焼を停止させ、燃焼ファン１１を停止させる。
【００４４】
＜注湯動作＞
注湯動作は、風呂リモコン４７やメインリモコン４８から、風呂の自動運転や注湯の指示を受けた場合に実行される。注湯動作では、制御部４０は、注湯電磁弁５８を開くと共に、燃焼ファン１１を作動させ、第１バーナ１４ａを点火して燃焼ガスを燃焼させる。これにより、給湯動作と同様にして生成された湯が連結管５７を通じて風呂戻り管３７に流れ込み、該風呂戻り配管３７および風呂往き管３６を通じて浴槽２に落とし込まれる。浴槽２内の湯が設定された水位になったら注湯動作は停止される。具体的には、注湯電磁弁５８を閉じると共に、第１バーナ１４ａへの燃焼ガスの供給を遮断し、燃焼ファン１１を停止させる。
【００４５】
＜追い焚き動作＞
追い焚き動作は、風呂の自動運転の指示に基づいて上記の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。風呂の自動運転中に浴槽２内の湯水を風呂設定温度に維持するための追い焚き動作は、たとえば、３０分毎に定期的に行われる。
【００４６】
追い焚き動作では、制御部４０は、流量制御弁２２を開き、循環ポンプ１８および風呂循環ポンプ１９を作動させると共に、燃焼ファン１１を作動させ、第２バーナ１４ｂを点火し、該第２バーナ１４ｂで燃焼ガスを燃焼させる。循環ポンプ１８の作用により、循環経路内の湯水が第２熱交換器１６及び水―水熱交換器２３を経由して循環する。すなわち、第２熱交換器１６の第２顕熱熱交換器１６ｂを出た湯水は、管路２１の途中の分岐箇所から流量制御弁２２、水―水熱交換器２３の一次側を通り、その後、管路２４、管路２５、第２潜熱熱交換器１６ａ、シスターン１７、循環ポンプ１８、管路２６を経て第２顕熱熱交換器１６ｂに至るようにして循環する。なお、流量調整弁３９は閉じてあるが、第２顕熱熱交換器１６ｂの出側の管路２１を通る湯の一部は、連結管３８およびバイパス管３８ｂを通じてシスターン１７の上流で管路２６に流れ込む。
【００４７】
上記の動作と並列に、風呂循環ポンプ１９の作用により、浴槽２内の浴槽水は、風呂戻り管３７から水―水熱交換器２３の二次側の水管を通り、風呂往き管３６を経て浴槽２に戻るように循環する。循環経路を循環する循環水は、第２熱交換器１６によって加熱され、水―水熱交換器２３の一次側を通る際にその熱が水―水熱交換器２３の一次側を循環する浴槽水に移動して浴槽水を昇温させる。
【００４８】
＜暖房動作＞
暖房動作（循環流体加熱動作）は、放熱装置６０からの動作要求に基づいて行われる。放熱装置６０は操作パネル６６にて使用者から暖房運転をオンにする指示を受けると、操作パネル６６にて設定されている暖房設定温度と室温センサ６７が検出する室温を比較し、室温が暖房設定温度になるように暖房動作の動作要求を給湯器１０に対して送信する。動作要求には、要求する熱量を示す情報が含まれる。
放熱装置６０から暖房動作の動作要求を受信した給湯器１０の制御部４５は、循環ポンプ１７を作動させると共に、燃焼ファン１１を作動させ、第２バーナ１４ｂを点火して該第２バーナ１４ｂで燃焼ガスを燃焼させる。循環ポンプ１７の作用により、湯水が暖房回路内で循環する。循環する湯水は、第２バーナ１４ｂを通る際に第２熱交換器１５ｂからの排気の熱を受けて昇温され、放熱装置６０の放熱器６１を通る際に放熱して送風ファン６３からの空気を暖める。
＜暖房動作＞
暖房動作には、高温暖房経路に約８０℃の湯を送り出して循環させる高温暖房動作と、低温暖房経路に約６０℃湯を送り出して循環させる低温暖房動作がある。
【００４９】
高温暖房動作では、たとえば、高温暖房端末である放熱装置７０の操作パネル７６で暖房運転がオンにされると、放熱装置７０は熱動弁７２に通電すると共に、暖房運転オンの指示(高温暖房要求)を給湯器１０の制御部４０に送信する。より詳細には、操作パネル７６にて設定されている暖房設定温度と室温センサ７７が検出する室温を比較し、室温が暖房設定温度になるように暖房動作の動作要求を給湯器１０に対して送信する。動作要求には、要求する熱量を示す情報が含まれる。
【００５０】
高温暖房の動作要求を受けた給湯器１０は、循環ポンプ１８をオンにして第２バーナ１４ｂを燃焼させ、燃焼ファン１１を作動させる。
【００５１】
熱動弁７２は、通電されても直ぐには開弁せず、たとえば、通電開始から約１分経過後に開弁する。そのため、当初は（なお、流量制御弁２２、低温暖房経路の熱動弁３３は閉じているものとする）、循環ポンプ１８によって送り出された循環水は、第２熱交換器１６の第２顕熱熱交換器１６ｂで加熱された後、管路２１から高温往き管３１には向かわずに、連結管３８およびバイパス管３８ｂを通り、さらにシスターン１７を経て循環ポンプ１８に至る短い経路を循環する。そのため、最初の１０秒ほどで熱交温度センサ４１の検出温度が約８０℃に達し、第２バーナ１４ｂがオフになる。その後、熱動弁７２が開弁するまでの間（たとえば、約５０秒間）は、第２バーナ１４ｂの燃焼をオフした状態になる。
【００５２】
熱動弁７２が開弁すると、循環ポンプ１８によって送り出された循環水は、第２熱交換器１６の第２顕熱熱交換器１６ｂ、管路２１、高温往き管３１、放熱装置７０の熱動弁７２および放熱器７１、高温戻り管３２、合流部２８、管路２９、管路２５、第２潜熱熱交換器１６ａ、シスターン１７を通って循環ポンプ１８に至る経路を循環する。なお、第２顕熱熱交換器１６ｂの出側の管路２１を通る湯の一部は、連結管３８およびバイパス管３８ｂを通じてシスターン１７の上流で管路２６に流れ込む。
【００５３】
このような経路で循環を開始すると、給湯器１０の機外にあった高温往き管３１や高温戻り管３２の中の冷たい循環水が給湯器１０に入って来るので、給湯器１０は、放熱装置７０に向けて送り出す湯の温度（熱交温度センサ４１の検出温度）を８０℃に維持するために、第２バーナ１４ｂの燃焼を開始する。その後、約５分位は連続で燃焼するが、浴室が暖まってくると、その後は、燃焼をオン／オフさせて熱交温度センサ４１の検出温度を８０℃に維持する。なお、流量制御弁２２が開いている場合は、第２顕熱熱交換器１６ｂから出て管路２１を流れる循環水は分岐し、その一部は水―水熱交換器２３の一次側を経て管路２４、管路２５に至るように流れる。
【００５４】
低温暖房動作では、たとえば、低温暖房端末である第２放熱装置８０のリモコン（たとえば、床暖房用のリモコン）で暖房運転オンの操作を受けると、該リモコンから低温暖房運転をオンにする指示(低温暖房の動作要求)が給湯器１０の制御部４０に送信される。この指示を受けた給湯器１０は、熱動弁３３への通電を開始すると共に、循環ポンプ１８をオンにして第２バーナ１４ｂを燃焼させ、燃焼ファン１１を作動させる。
【００５５】
なお、この場合も熱動弁３３が通電当初は開弁しないので、高温暖房端末が稼動していないときには、循環ポンプ１８によって送り出された循環水はすぐに目標温度に達し、給湯器１０は、その後、熱動弁３３が開弁するまで第２バーナ１４ｂの燃焼をオフした状態で待機する。
【００５６】
熱動弁３３が開弁すると、循環ポンプ１８によって送り出された循環水は、循環ポンプ１８の下流で分岐し、一方は、熱動弁３３、低温往き管３４、第２放熱装置８０の放熱器８１、低温戻り管３５、合流部２８、管路２９、第２熱交換器１６の第２顕熱熱交換器１６ｂ、シスターン１７を経て循環ポンプ１８に至る経路に流れる。分岐した他方は、第２顕熱熱交換器１６ｂで加熱された後、連結管３８（バイパス管３８ｂおよび流量調整弁３９）を通り、シスターン１７を経て循環ポンプ１８に至るように流れる。
【００５７】
低温暖房動作では、最初の３０分間は、ホットダッシュ運転という、急速暖房が行われる。具体的には、ホットダッシュ運転中は、流量調整弁３９を開弁して、高温往き管３１に向かう湯に、第２顕熱熱交換器１６ｂで加熱された熱い湯をより多く混合するようにすると共に、熱交温度センサ４１の検出温度が８０℃（あるいは９０℃）になるように第２バーナ１４ｂの燃焼量を制御する。一方、ホットダッシュ運転中終了後の通常の低温暖房動作では、流量調整弁３９を閉弁（あるいは開度を少なく）し、循環ポンプ１８の下流の低温往き温度センサ４９の検出温度が６０℃になるように第２バーナ１４ｂの燃焼量を制御する。
【００５８】
給湯器１０は、給湯動作と暖房動作や追い焚き動作を同時並行に実行できるが、本発明に係る給湯システム１では、給湯動作が終了した後の所定期間は、給湯動作を再開したときの出湯温度の低下を少なくするために、暖房動作や追い焚き動作（第２バーナ１４ｂの燃焼）が行われないようにする等の制御（給湯側湯温保持制御）を行う。
【００５９】
すなわち、給湯動作の停止後、暖房動作や追い焚き動作による第２バーナ１４ｂの燃焼があると、燃焼ファン１１は給湯動作の停止後も動作を継続するので、給湯側の第１熱交換器１５が燃焼ファン１１からの送風によって冷却され、給湯再開時の出湯温度が著しく低下してしまう。一方、暖房動作や追い焚き動作は、短時間停止させても、加熱対象である室内の空気の温度はそれほど大きく変化しない。そこで、給湯動作の終了後の所定期間は暖房動作や追い焚き動作が行われないようにする等の給湯側湯温保持制御を行う。
【００６０】
以下、放熱装置７０から動作要求に基づく暖房動作を抑制する場合の給湯側湯温保持制御について説明する。また、追い焚き動作や低温暖房の動作要求はないものとする。
【００６１】
給湯器１０は、給湯動作の動作状況を示す給湯動作情報を放熱装置７０に対して送信し、これを受信した放熱装置７０は、給湯器１０から受信した給湯動作情報に基づいて給湯器１０の状態が給湯動作停止後の所定期間中か否かを判断する。そして、給湯動作停止後の所定期間中は、暖房動作の動作要求の送信を禁止する、あるいは、動作要求で要求する熱量を所定量以下に制限するといった制御（給湯側湯温保持制御）を行う。ここでは、給湯動作停止後の５分間は、給湯再開時の温度変化を±３℃以内（雰囲気温度は常温、給水温度は１６℃にて）にするＱ機能が満足されるように上記の制御を行う。
【００６２】
また、Ｑ機能による快適性向上の効果が顕著に表れるのは、給湯使用がシャワーの場合である。すなわち、シャワーを使用中に一度止めて再使用するとき、ユーザは出湯温度の変動を全身で感じるため、温度変動が大きいとユーザに与える不快感が大きい。一方、台所等の水栓に出湯する場合、手指に触れるだけなので、温度低下に対する不快感は少ない。そこで、直前の給湯使用がシャワーの場合だけ、給湯側湯温保持制御を実行する。これにより、給湯側湯温保持制御によって暖房動作が禁止や制限されるケースが限定されるので、放熱装置７０による暖房効果に与える影響を少なく抑えることができる。
【００６３】
図２は、給湯器１０が行う、燃焼ファン１１の動作の制御を示す流れ図である。前述したように、暖房動作、追い焚き動作、給湯動作のいずれでも燃焼ファン１１は作動する。詳細には、制御部４０は、第１バーナ１４ａと第２バーナ１４ｂのいずれか一方もしくは双方を燃焼させる場合（ステップＳ１０１;Ｙｅｓ）、燃焼量に応じた動作速度で燃焼ファン１１を作動させる（ステップＳ１０２）。すなわち、燃焼量が少ないほど燃焼ファン１１の動作速度を遅くし、燃焼量が多くなれば燃焼ファン１１の動作速度を速くする制御を行う。その後、第１バーナ１４ａと第２バーナ１４ｂの燃焼が共に停止した場合（ステップＳ１０３;Ｙｅｓ）、燃焼ファン１１を停止させる。なお、上記のほか、所謂、ポストパージ、プリパージのために燃焼ファン１１は動作するが、これらによる燃焼ファン１１の動作については、後述する。
【００６４】
図３は、給湯器１０の制御部４０が給湯動作情報の送信に関して行う処理を示す流れ図である。給湯動作を開始したら(ステップＳ１２１;Ｙｅｓ)、給湯動作中を示す給湯動作情報を作成して放熱装置７０に送信する（ステップＳ１２２）。その後、給湯動作が停止したら（ステップＳ１２３;Ｙｅｓ）、直前の給湯動作がシャワーを用途する出湯であったか否かを判定する。たとえば、直前の給湯使用量が、７L/min〜１３L/min であれば、もしくは、シャワーの最低使用量と考えられる ７L/min 以上であれば、直前の給湯使用がシャワーであったと判定する。あるいは、直前の給湯使用量がシャワーでの使用量に相当し、かつ、風呂リモコン４７に給湯設定温度を変更する優先権がある場合にシャワー使用であると判定する。
【００６５】
直前の給湯動作がシャワー使用によるものであると判定した場合は(ステップＳ１２４;Ｙｅｓ)、給湯動作の停止と、該停止した給湯動作がシャワー使用である旨を示す給湯動作情報を作成して放熱装置７０に送信する(ステップＳ１２５)。一方、直前の給湯動作がシャワーでないと判定した場合は(ステップＳ１２４;Ｎｏ)、給湯動作の停止と、該停止した給湯動作がシャワー使用でない旨を示す給湯動作情報を作成して放熱装置７０に送信する(ステップＳ１２６)。
【００６６】
図４は、暖房動作に関して給湯器１０が行う動作を示す流れ図である。放熱装置７０から暖房動作の動作要求があるか否かを監視する（ステップＳ１４１）。放熱装置７０から暖房動作の動作要求を受けたら（ステップＳ１４１;Ｙｅｓ）、該動作要求に補填指示が含まれるか否かを判断する(ステップＳ１４２)。補填指示が含まれていない場合は(ステップＳ１４２;Ｎｏ)、循環ポンプ１８の動作速度を通常モードとし、要求された熱量に応じた燃焼量で暖房動作を実行し(ステップＳ１４３)、ステップＳ１４５に移行する。
【００６７】
動作要求に補填指示が含まれる場合は（ステップＳ１４２;Ｙｅｓ）、循環ポンプ１８の動作速度を通常よりも速い高速モードとし、要求された熱量に応じた燃焼量で暖房動作を実行し(ステップＳ１４３)、ステップＳ１４５に移行する。
【００６８】
ステップＳ１４５では、放熱装置７０からの動作要求の受信を監視し、動作要求が継続していれば（ステップＳ１４５;Ｎｏ）、ステップＳ１４２に戻って処理を継続する。暖房動作の動作要求が終了した場合は（ステップＳ１４５;Ｙｅｓ）、暖房動作を停止する(ステップＳ１４６)。なお、図２に示したように、給湯動作中でなければ、暖房動作の停止により、第１バーナ１４ａ、第２バーナ１４ｂの双方の燃焼が停止するので、燃焼ファン１１は停止する。
【００６９】
次に、放熱装置７０が行う給湯側湯温保持制御について説明する。
【００７０】
図５は、放熱装置７０の制御部７４が行う、給湯側湯温保持制御の流れを示している。給湯器１０から受信される給湯動作情報に基づいて、給湯器１０が給湯動作中から(ステップＳ２０１)、給湯動作が終了したと判断したら（ステップＳ２０２;Ｙｅｓ）、直前に停止した給湯動作がシャワー使用であったか否かを判定する（ステップＳ２０３）。シャワー使用でなければ（ステップＳ２０３;Ｎｏ）、ステップＳ２０１に戻る。
【００７１】
シャワー使用の場合は（ステップＳ２０３;Ｙｅｓ）、暖房動作の動作要求の送信を禁止もしくは要求する熱量を制限する状態(禁止・制限状態)に設定する（ステップＳ２０４）。そして、所定時間を計時するためのタイマーをスタートさせる（ステップＳ２０５）。このタイマーは、上記の禁止・制限状態を解除するまでの時間を計時する。給湯器１０では、給湯動作終了後は第１バーナ１４ａが燃焼していないので、暖房動作の動作要求の送信を禁止すれば第２バーナ１４ｂの燃焼が止まり、その結果、第１バーナ１４ａ、第２バーナ１４ｂの双方が燃焼しない状態になって燃焼ファン１１が停止する。
【００７２】
なお、放熱装置７０は、暖房運転の指示を使用者から受けていなければ、そもそも暖房動作の動作要求を給湯器１０に送信することはないが、暖房運転の指示を受けている場合であっても、禁止・制限状態が設定されていれば、この設定に従い、暖房運転の動作要求の送信を行わない、あるいは、暖房動作の動作要求で要求する熱量を制限する。
【００７３】
タイマーに設定する時間は、たとえば、３分あるいは５分等の予め定めた時間とする。この時間は、前述のＱ機能の目標時間（５分）、もしくは、それよりも、ある程度短い時間にされる。
【００７４】
タイマーがタイプアップした場合は(ステップＳ２０６;Ｙｅｓ)、上記の禁止・制限状態を解除して（ステップＳ２０８）、ステップＳ２０１に戻る。上記タイマーがタイムアップする前に（ステップＳ２０６;Ｎｏ）、給湯使用が再開された場合は（ステップＳ２０７;Ｙｅｓ）、上記の禁止・制限状態を解除して（ステップＳ２０８）、ステップＳ１０１に戻る。
【００７５】
図６は、放熱装置７０が動作要求の送信に関して行う処理を示す流れ図である。暖房運転をオンにする指示(稼動指示)を使用者から受けるのを待ち（ステップＳ３０１;Ｎｏ）、稼動指示を受けたら(ステップＳ３０１;Ｙｅｓ)、図５に示す処理によって禁止・制限状態に設定されているか否か調べる（ステップＳ３０２）。
【００７６】
禁止・制限状態に設定されていなければ（ステップＳ３０２;Ｎｏ）、通常に動作要求を送信し（ステップＳ３０３）、稼動指示が終了したかを判断する（ステップＳ３１３）。稼動指示が終了した場合は（ステップＳ３１３;Ｙｅｓ）、暖房動作の動作要求の送信を停止して（ステップＳ３１４）、本処理を終了する。
【００７７】
稼動指示が継続していれば(ステップＳ３１３;Ｎｏ)、ステップＳ３０２に戻り、暖房動作の動作要求を行っている状態下で禁止・制限状態に変化したか否かを調べる。
【００７８】
禁止・制限状態に設定されている場合は（ステップＳ３０２;Ｙｅｓ）、禁止・制限の内容を判断する（ステップＳ３０４）。動作要求の送信が禁止されている場合は（ステップＳ３０４：動作禁止）、動作要求の送信を停止して（ステップＳ３０５）、ステップＳ３０７に移行する。これにより、第２バーナ１４ｂの燃焼が停止し、図２に示す制御により、燃焼ファン１１が停止する。なお、暖房動作を停止した場合、循環ポンプ１８の動作も停止する。
【００７９】
要求する熱量を制限する設定がなされている場合は（ステップＳ３０４：制限）、要求する熱量を所定値以下に制限した動作要求を送信して（ステップ３０６）、ステップＳ３０７に移行する。この場合、給湯器１０は、要求が示す制限された熱量に応じて第２バーナ１４ｂの燃焼量を抑えて暖房動作を実行する。第２バーナ１４ｂの燃焼量を少なく抑えることで、該燃焼量に応じて燃焼ファン１１も小風量で動作する。
【００８０】
ステップＳ３０７では、禁止・制限状態が解除されたか否かを判断し、禁止・制限状態が解除される前に（ステップＳ３０７;Ｎｏ）、稼動指示（放熱装置７０の運転オンの指示）が終了した場合は（ステップＳ３０８;Ｙｅｓ）、動作要求の送信を停止して（ステップＳ３１４）本処理を終了する。稼動指示が終了する前に（ステップＳ３０８;Ｎｏ）、禁止・制限状態が解除された場合は（ステップＳ３０７;Ｙｅｓ）、補填指示を含む動作要求を給湯器１０に送信する（ステップＳ３０９）。なお、補填指示を含む動作要求を受けた場合、給湯器１０は、要求熱量に応じた燃焼量で第２バーナ１４ｂを燃焼させながら、循環ポンプ１８をこの燃焼量に対応する回転数より高い回転数で作動させて暖房動作を実行する。これにより、暖房動作を禁止あるいは熱量を制限していたい期間における暖房効果の低下を早期に補填することができる。
【００８１】
補填指示を含む動作要求の送信を開始してから所定時間が経過する前に(ステップＳ３１０;Ｎｏ)、稼動指示が終了した場合は（ステップＳ３１１;Ｙｅｓ）、暖房動作の動作要求の送信を停止して（ステップＳ３１４）、本処理を終了する。
【００８２】
補填指示を含む動作要求の送信を開始してから所定時間が経過したら（ステップＳ３１０;Ｙｅｓ)、補填指示を含まない通常の動作要求を送信する（ステップＳ３１２）。その後、稼動指示が終了したか否かを判断し、終了の場合は(ステップＳ３１３;Ｙｅｓ)、暖房動作の動作要求の送信を停止して（ステップＳ３１４）、本処理を終了する。
【００８３】
稼動指示が継続している場合は（ステップＳ３１３;Ｎｏ）、ステップＳ３０２に戻って処理を継続する。
【００８４】
このように、給湯動作が終了してから所定時間が経過するまでの間、暖房動作の動作要求の送信を禁止あるいは要求する熱量を制限することで、燃焼ファン１１の動作が停止あるいは低速となり、燃焼ファン１１からの送風によって第１熱交換器１５の温度が低下してＱ機能が損なわれることが防止・抑制される。
【００８５】
たとえば、外気温度７℃、暖房動作中に給湯使用（たとえば、シャワーを使用）し、給湯使用を停止してから４分後に給湯使用を再開した場合、上記の給湯側湯温保持制御を行わなければ、出湯温度が４０℃から３０℃に低下するところ、給湯側湯温保持制御（タイマー設定時間３分の場合）を行えば、出湯温度は４０℃から３７℃に低下するに留まり、顕著な効果を得ることができる。
【００８６】
なお、第２放熱装置８０についても、放熱装置７０と同様の給湯側湯温保持制御を行えばよい。追い焚き動作（あるいは追い焚き動作と第２放熱装置８０による低温暖房動作）についての給湯側湯温保持制御は、給湯器１０が第２バーナ１４ｂの燃焼を禁止したりする、燃焼量を制限して行えばよい。
【００８７】
次に、ポストファンの制御について説明する。
給湯動作の停止後、ポストファン（燃焼を伴わない燃焼排ガス排出のための燃焼ファン１１の駆動）を省略、又はポストファンの時間を短くすると、温かい燃焼排ガスが器具（燃焼室１３）内に留まる（もしくは留まる量が多くなる）。すなわち、給湯ポストファン（給湯動作の停止に伴うポストファン）による送風により熱交換器が冷やされるのを防止しつつ、温かい燃焼排ガスも器具内に留まることで、次回の給湯動作が短時間後に行われた場合の給湯の効率が高くなる。
【００８８】
しかし、器具内に温かい燃焼排ガスを留めている内に、排気ガスの温度は低下する。この時、排気ガス中の水分が結露してしまうことがある。本来ならば、排気ガス中の水分が器具内で結露して、例えば点火系統に付着すると、イグナイタの高電圧が地絡することで点火不良を起こす場合があるのを防止するために、給湯ポストファンを十分に行って、結露の原因となる排気ガスを排出する。しかし、本実施の形態に係る給湯器１０では、給湯使用による第１バーナ１４ａの燃焼を停止した後、すぐに燃焼ファン１１を停止（給湯ポストファンを０秒にする）、又は給湯ポストファンの運転時間を短くする制御を行う。このため、結露が発生しやすくなる。
【００８９】
そこで、給湯器１０は、給湯単独使用時の給湯動作の停止(第１バーナ１４ａの燃焼停止)では、燃焼停止時にすぐに燃焼ファン１１を停止させ、燃焼停止から５分間（Ｑ機能を確保するための時間）は給湯動作の停止に伴うポストファンを禁止し、燃焼停止から５分後に給湯ポストファンを行うように制御する。これにより、結露しやすくなっている燃焼排ガスを、結露する前に器具外に排出、又は、結露してしまった水分を乾燥させて、地絡等点火不良の原因を取り除くことができる。なお、ポストファンを給湯動作の停止から５分後にすると、給湯熱交換器（第１熱交換器１５）内の湯が保温材の代わりとなって、燃焼排ガスが結露しにくい状態をより長く維持することができる。
【００９０】
他方、追い焚き動作や暖房動作と給湯動作が同時に行われる場合がある。給湯器１０は、このような場合で、給湯動作が先に停止した時には、その後の所定時間において追い焚き動作や暖房動作の禁止または燃焼量の制限を行うと共に、給湯動作の停止に基づくポストファンを５分後に延期するので、燃焼ファン１１からの送風によって給湯熱交換器（第１熱交換器１５）が冷やされることが防止される。
【００９１】
ところで、風呂の自動運転中に浴槽２内の湯水を風呂設定温度に維持するために昇温する動作（保温運転）を行う場合がある。すなわち、浴槽２の湯温を風呂設定温度に維持するために、例えば３０分毎に、設定温度まで上昇させるための追い焚き動作が行われる。これにより、たとえば、風呂の自動運転中の４時間にわたり、浴槽２の湯は風呂設定温度に保温される。そのため、たとえば、給湯動作の停止と、予定されている追い焚き動作の開始時間とが近い場合がある。
【００９２】
たとえば、３０分毎の追い焚き動作の開始予定時刻の８分前に給湯使用が終わった場合には、給湯動作の停止から５分後に給湯ポストファンが行われ、さらに給湯動作の停止から８分後に追い焚き動作のために燃焼ファン１１が動作することになる。追い焚き用の燃焼ファンと給湯用の燃焼ファンは共通なので、追い焚き動作のために燃焼ファン１１が動作するならば、その直前に給湯ポストファンを行う必要はない。
【００９３】
暖房運転についても同様で、設定温度に室温を維持するためにオンオフ燃焼が行われるが、燃焼オフ中の温度の低下状況から、次回の燃焼オンが何分後になるかを予測することができる。たとえば、給湯使用が終わってから７分後に次回の暖房運転による燃焼オンが予定されている場合がある。
【００９４】
そこで、給湯動作停止から所定時間以内（たとえば、１０分以内）に、追い焚き動作や暖房動作が予定されている場合には、給湯動作の停止から５分後に通常は行われる給湯ポストファンを省略して行わないように制御する。すなわち、所定時間内に予定されている追い焚き動作や暖房動作の燃焼による燃焼ファン１１の駆動で給湯ポストファンを代用する。
【００９５】
ただし、予定されていた追い焚き動作や暖房動作が中止される場合もある。たとえば、風呂の保温動作において風呂循環ポンプ１９を駆動した結果、浴槽水の温度低下があまりみられず、予定していた次回の追い焚き動作を行わない決定がなされる場合がある。また、次回の追い焚き動作の予定時刻が来る前にユーザにより風呂の自動運転を停止する操作が行われる場合がある。そこで、給湯使用停止後の給湯ポストファンを省略する要因になった追い焚き動作や暖房動作の予定が消滅した場合には、その消滅時点を基点として（消滅時点が給湯停止から５分経過前であれば５分経過後に）給湯ポストファンを行うように制御する。
【００９６】
図７は、給湯使用終了後のポストファンの制御を示す流れ図である。
給湯器１０の制御部４０は、給湯使用が終了すると（ステップＳ４０１；Ｙｅｓ）、Ｑ機能を確保するためのタイマ―がタイムアップするのを待つ（ステップＳ４０２；Ｎｏ）。このタイマーは、たとえば、５分間に設定される。なお、給湯器１０は、給湯使用が終了すると給湯側湯温保持制御を行うが、ここでは、該給湯側湯温保持制御において、第２バーナ１４ｂの燃焼を上記のタイマーと同じ時間だけ禁止するものとする。
【００９７】
上記のタイマーがタイムアップする前に給湯使用が再開された場合は（ステップＳ４０３；Ｙｅｓ）、第１バーナ１４ａの燃焼のために燃焼ファン１１が作動するので、給湯ポストファンは不要となるので、本処理を終了する。なお、Ｑ機能のタイマーがタイムアップする前に追い焚き動作や暖房動作の要求に基づいて第２バーナ１４ｂが燃焼した場合にも、本処理を終了する。例えば、ステップＳ２０５；Ｙｅｓとなって第２バーナ１４ｂの燃焼禁止が解除されて追い焚き動作が開始したような場合がこれに該当する。
【００９８】
また、Ｑ機能のタイマーがタイムアップする前に給湯器１０の運転がオフにされた場合は（ステップＳ４０４；Ｙｅｓ）、ポストファンを実行して（ステップＳ４０８）本処理を終了する。このポストファンは、給湯ポストファンではなく、運転オフに対応するポストファン（たとえば、給湯ポストファンより長い時間のポストファン）である。
【００９９】
Ｑ機能のタイマーがタイムアップすると（ステップＳ４０２；；Ｙｅｓ）、所定時間内に追い焚き動作や暖房動作に伴う第２バーナ１４ｂの燃焼予定があるか否かを判断する（ステップＳ４０５）。所定時間はたとえば、５分等の時間に固定的に定める、あるいは、排気が結露するまでの残り時間を導出し、該残り時間もしくは該残り時間より少し短い時間を所定時間に設定する。この流れ図では、所定時間をＱ機能のタイマーがタイムアップした以後の時間としたが、給湯動作の停止からの時間としてもよい。
【０１００】
所定時間内に第２バーナ１４ｂの燃焼予定がなければ（ステップＳ４０５；Ｎｏ）、給湯器１０は、給湯ポストファンを実行して（ステップＳ４０８）、本処理を終了する。
【０１０１】
所定時間内に第２バーナ１４ｂの燃焼予定があれば（ステップＳ４０５；Ｙｅｓ）、給湯器１０は、該燃焼予定に係る第２バーナ１４ｂの燃焼が開始したとき（ステップＳ４０６；Ｙｅｓ）、本処理を終了する。給湯器１０は、燃焼予定に係る第２バーナ１４ｂの燃焼が開始する前にその燃焼予定が、運転オフや風呂自動運転、暖房運転のオフ等によって消滅した場合は（ステップＳ４０７；Ｙｅｓ）、ポストファンを実行して（ステップＳ４０８）、本処理を終了する。この際、給湯器１０は、燃焼予定の消滅が風呂の自動運転や暖房運転のオフに由来するものであれば給湯ポストファンを行い、給湯器１０の運転オフに由来する場合は、運転オフに対応するポストファン（たとえば、給湯ポストファンより長い時間のポストファン）を実行する。
【０１０２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０３】
実施の形態では、循環経路を暖房回路としたが、ミストサウナ用の熱媒体流体を循環させる回路等であってもかまわない。
【０１０４】
実施の形態では、直前の給湯動作がシャワー使用の場合にのみ暖房動作の動作要求を禁止あるいは要求する熱量を制限するようにしたが、シャワー使用か否かにかかわらず給湯動作の停止後の所定期間は動作要求の送信の禁止や要求する熱量を制限するように構成されてもよい。
【０１０５】
なお、放熱装置７０は、暖房動作の動作要求の送信を禁止している状態では、送風ファン７３を停止させる、あるいは送風ファン７３の動作速度を低速にする。暖房動作の動作要求で要求する熱量を制限している場合は、送風ファン７３の動作速度を低速に制限する。
【０１０６】
給湯器１０が放熱装置７０に対して、給湯器１０の動作状況や各種センサの検出温度等の情報を送信する場合には、それらの情報に基づいて、禁止・制限状態を継続する所定時間の長さを変更するようにしてもよい。たとえば、外気温度、第１熱交換器１５の温度、給湯器１０の設置場所の風の強さなど情報に基づいて禁止・制限状態を継続する所定時間の長さを変更する。
【０１０７】
詳細には、給湯器１０が給湯熱交温度センサ４４を有して給湯器１０から放熱装置７０へ第１熱交換器１５の温度を通知する場合には、給湯動作停止後の第１熱交換器１５の温度の低下度合いに基づいて禁止・制限状態を継続する所定時間の長さを変更する。具体的には、放熱装置７０は、図５のステップＳ２０５においてタイマーに規定時間を設定する。その後、第１熱交換器１５の温度低下の状況を監視し、温度低下の度合いが基準より少なければ、早期に燃焼ファン１１の動作を再開させてもＱ機能を満足できるので、タイマーがタイムアップするまでの残り時間を短く変更する。
【０１０８】
また、給湯器１０が給湯熱交温度センサ４４の検出温度を通知せず、外気温度センサ４５が検出した外気温度、もしくは外気温度と設置場所での風の強さを放熱装置７０に通知する場合には、外気温度あるいは外気温度と風の強さに基づいて、給湯動作停止後の第１熱交換器１５の温度の低下度合いを推定し、温度の低下度合いが大きいほど、時間が長くなるように、タイマーに設定する時間を変更するようにしてもよい。
【０１０９】
たとえば、外気温度が高い夏場は、第１熱交換器１５の温度の低下度合いが小さいので、タイマーに設定する時間を短くし、早期に禁止・制限状態が解除されて燃焼ファン１１が動作しても、５分間経過までＱ機能を達成することができる。設置場所での風の強さを考慮するのは、風が強い場合、この風が排気口から流入して第１熱交換器１５が冷却されることによる。なお、風の影響で燃焼ファン１１に加わる負荷が変わるので、風の強さは、給湯動作停止直前の給湯動作で燃焼ファン１１を単位時間駆動するために要した電力や電流の大小に基づいて判断することができる。
【０１１０】
なお、給湯器１０は、第１潜熱熱交換器１５ａ、第１顕熱熱交換器１５ｂ、第２潜熱熱交換器１６ａ、第２顕熱熱交換器１６ｂを有する潜熱回収型を例示したが、潜熱熱交換器を具備せず、顕熱熱交換器のみを有するタイプであってもかまわない。
【符号の説明】
【０１１１】
１…給湯システム
２…浴槽
１０…給湯器
１１…燃焼ファン
１２…排気口
１３…燃焼室
１３ａ…第１燃焼室
１３ｂ…第２燃焼室
１４ａ…第１バーナ
１４ｂ…第２バーナ
１５…第１熱交換器
１５ａ…第１潜熱熱交換器
１５ｂ…第１顕熱熱交換器
１６…第２熱交換器
１６ａ…第２潜熱熱交換器
１６ｂ…第２顕熱熱交換器
１７…シスターン
１８…循環ポンプ
１９…風呂循環ポンプ
２１…管路
２２…流量制御弁
２３…水―水熱交換器
２４…管路
２５…管路
２６…管路
２８…合流部
３１…高温往き管
３２…高温戻り管
３３…熱動弁
３４…低温往き管
３５…低温戻り管
３６…風呂往き管
３７…風呂戻り管
３８…連結管
３８ｂ…バイパス管
３９…流量調整弁
４０…制御部
４１…熱交温度センサ
４２…戻り温度センサ
４３…給水温度センサ
４４…給湯熱交温度センサ
４５…外気温度センサ
４６…通信部
４７…風呂リモコン
４８…メインリモコン
４９…低温往き温度センサ
５１…給水管
５２…給湯管
５３…水量センサ
５４…水量サーボ
５５…バイパス管
５６…バイパス混合弁
５７…連結管
５８…注湯電磁弁
５９…逆止弁
６１…注水管
６２…電磁弁
６４…ガス供給管
６５…元ガス電磁弁
６６…ガス比例弁
６７…ガス電磁弁
６８…ガス電磁弁
７０…放熱装置
７１…放熱器
７２…熱動弁
７３…送風ファン
７５…通信部
７６…操作パネル
７７…室温センサ
８０…第２放熱装置
８１…放熱器
【図１】
2018091542.tif 000003
【図２】
2018091542.tif 000004
【図３】
2018091542.tif 000005
【図４】
2018091542.tif 000006
【図５】
2018091542.tif 000007
【図６】
2018091542.tif 000008
【図７】
2018091542.tif 000009